(57)【特許請求の範囲】
【請求項１】
以下の要素の組み合せからなる透湿性靴（１０）であって、その透湿性靴（１０）が、
透湿性又は有孔の裏地（１２）が付設された透湿性の甲（１１）と、
有孔の弾性材で作製された接地底（１３）と、
耐水性、撥水性、透湿性、及び／又は、有孔の材料で作製された下保護層（１６，１１６，２１６，３１６，４１６）を有し、防水性と透湿性を有する材料で作製された少なくとも１枚の膜（１５，１１５，２１５，３１５，４１５）を備えた中間底と、
透湿性又は有孔の中敷（１７）と、
前記膜と前記下保護層とに取り付けられた透湿性又は有孔の間底層（１９，１１９，２１９，３１９，４１９）とを備え、
それによって、前記膜が、前記下保護層と共に、あらかじめ組立てられた挿入物（１４，１１４，２１４，３１４，４１４）内に周辺部が封止されて配置され、その挿入物が、前記挿入物の最底面に配置された前記下保護層を有し、かつ組立て中と使用中の両方において、前記膜の支持体を形成するに適していることを特徴とする透湿性靴。
【請求項２】
前記挿入物（１４，１１４，２１４，３１４，４１４）がプレモールドされていることを特徴とする請求項１記載の靴。
【請求項３】
前記間底層（１９，１１９，２１９，３１９，４１９）が、前記挿入物（１４，１１４，２１４，３１４，４１４）の構成部材である膜（１５，１１５，２１５，３１５，４１５）と下保護層（１６，１１６，２１６，３１６，４１６）にオーバーモールドされたプスチックで作製されていることを特徴とする請求項１記載の靴。
【請求項４】
前記挿入物（１４，１１４）が、前記膜（１５，１１５）の上に、前記中敷（１７）を支持し、前記間底層（１９，１１９）を構成する格子（２１）を備えていることを特徴とする請求項１記載の靴。
【請求項５】
前記挿入物（２１４）が、前記膜（２１５）の上に、前記間底層を構成し、水分を吸収し、良好な機械強度を有し、かつ外部雰囲気からの断熱性を有する透湿性のフエルト（２２２）で作製された部材を備えていることを特徴とする請求項１記載の靴。
【請求項６】
前記膜（２１５ａ）の上に材料層が設けられ、その材料層が、ともに透湿性又は有孔の撥水性の材料で作製された上層（２２２ｂ）と下親水性層（２２２ｃ）を備えていることを特徴とする請求項１記載の靴。
【請求項７】
前記撥水性と親水性の材料で作製された層の間に、スペース層（２２２ａ）が挟まれていることを特徴とする請求項６記載の靴。
【請求項８】
前記下保護層（１６，１１６，２１６）が、前記膜（１５，１１５，２１５）の下に付設され、補足的に形成され、かつ微小な多数の孔を有する連続気泡プラスチックの材料で作製された１又は複数の部材からなることを特徴とする請求項１記載の靴。
【請求項９】
前記膜（３１５，４１５）の下保護層（３１６，４１６）が、前記膜の下に付設され、機械的強度を有する透湿性の織物材で作製された１又は複数のフエルトからなることを特徴とする請求項１記載の靴。
【請求項１０】
透湿性靴の底部に使用するための挿入物（１４，１１４，２１４，３１４，４１４）であって、前記挿入物が、
（ｉ）靴の中敷（１７）側に面する上面と、靴の接地底（１３）側に面する下面と、外縁とを有し、防水性及び透湿性の材料で作製された膜（１５，１１５，２１５，３１５，４１５）と、
（ii）前記膜の下面に近接して配置され、前記挿入物の最底面に配置された保護層（１６，１１６，２１６，３１６，４１６）と、
（iii）前記膜の周辺部に配置された支持部材（１９，１１９，２１９，３１９，４１９）とを具備してなり、
保護層を有する前記膜（１５，１１５，２１５，３１５，４１５）が、（ａ）外縁に近接する上面の部分と、（ｂ）外縁と、（ｃ）外縁に近接した前記膜の下面の部分とを備えるか、又はそれらの組み合わせからなる周辺部を有し、
前記支持部材（１９，１１９，２１９，３１９，４１９）が、前記膜の周辺部と支持部材との間に防水性接着材が形成されそれによって前記膜が周辺部において前記支持部材に封止されるように前記膜に接着された、透湿性靴の底部に使用するための挿入物。
【請求項１１】
前記保護層（１６，１１６，２１６，３１６，４１６）が前記膜（１５，１１５，２１５，３１５，４１５）にスポット接着されてなる請求項１０記載の挿入物。
【請求項１２】
前記保護層（１６，１１６，２１６，３１６，４１６）が機械的応力に強い布材からなる請求項１１記載の挿入物。
【請求項１３】
前記支持部材が前記膜の上にオーバーモールドされてなる請求項１０記載の挿入物。
【請求項１４】
前記支持部材（１９，１１９，２１９，３１９，４１９）が接着剤によって前記膜（１５，１１５，２１５，３１５，４１５）に接着されてなる請求項１０記載の挿入物。
【請求項１５】
前記挿入物がさらに、前記膜（１５，１１５，２１５，３１５，４１５）の上面に接着された支持格子部（１２１）を備えてなる請求項１０記載の挿入物。
【請求項１６】
前記支持格子部（１２１）と前記支持部材（１９，１１９，２１９，３１９，４１９）が、一体に組み込まれた組立て体である請求項１５記載の挿入物。
【発明の詳細な説明】
技術分野
本発明は改良型透湿性靴に関する。
背景技術
靴は、快適であるために、靴の内部の微小雰囲気と外部の微小雰囲気との間の熱と水蒸気の適当な交換を確実に行わなければならないことが現在知られている。
しかしながら、このような熱と水蒸気の交換は、いずれの場合も靴の外部の湿気や水分への不適性に妥協してはならない。
現在商業的に入手可能な靴においては、熱と水蒸気の交換は、靴の上の部分（甲）と靴底とのいずれか一方に実質的に委ねられている。
靴の甲の部分に関しては、孔のあいた甲と透湿性の防水材で作製された裏地との一方又は両方を有する靴が現在商業的に入手可能である。
実際上は、いくつかのモデルにおいては、甲の部分を防水性と透湿性を同時に有する材料で置き換えたものもある。
他の種類の靴は、その代わりに保護層及び間底材が任意に付設された水を通さずかつ透湿性を有する材料層を用いることにより、靴底に水分の発散を委ねている。熱と水蒸気の最適な交換を達成するためのものとして、１９９５年１０月１３日に出願されたイタリア発明特許明細書Ｎｏ．ＰＤ９５Ａ０００１９０号に開示され、以下の部材の組合せからなる透湿性を有する靴が知られている。この構成は、
透湿性又は有孔の裏地が付設された透湿性の甲と、
有孔の弾性材で作製された接地底と、
耐水性、撥水性、及び透湿性又は有孔の材料で作製された下保護層を有し、透湿性と防水性を有する材料で作製された少なくとも１枚の膜を備えた中間底と、
透湿性又は有孔の中敷と、
中敷と膜との間に配置され、透湿性又は有孔の間底層とを具備した構成である。
１９９５年１０月１３日に出願されたイタリア発明特許明細書Ｎｏ．ＰＤ９５Ａ０００１９０号に開示された靴においては、甲の下部、接地底、及び膜を有する中間底は、それらの接合部分において、完全に封止されている。この靴は熱と水蒸気の発散の問題は解決しているが、製造時に主として発生するそれほど重要でない問題の解決をまだ必要としている。これは、中間底の組み立て中に、非常にデリケートな防水膜を、ダメージを与えることなく正確に安全に挿入することが難しいという問題である。
さらに、使用中、膜が、特別に要望される状況で使用される靴では特に、望ましくないダメージを与えるようなストレスにさらされる可能性があるということである。
本発明の開示
本発明の意図は、外部の雰囲気の機能として最適な内部雰囲気を常に保持し、製造時の作製の簡単性と正確性が改良され、甲と底との両方を介して熱と水蒸気の交換をする可能性が組み合わされている透湿性の靴を提供することにある。
この意図の範囲内において、本発明の目的は、靴がスポーツの分野やワーキングシューズの分野のような機械的ストレスに対する特別の要望が求められる状況で使用されても、特に発散機能を割り当てられた膜が効果的に保護される、透湿性の靴を提供することにある。
本発明の他の目的は、日常使用のためとスポーツ使用のためとの両方に使用可能な透湿性の靴を提供することにある。
本発明の他の目的は、従来の透湿性の靴に対して競合的な価格を有する透湿性の靴を提供することにある。
本発明の他の目的は、公知の技術で製造可能な透湿性の靴を提供することにある。
本発明の意図、及びこれらの目的は、以下の記述から明らかになるであろう。また、それは以下の部材の組み合わせからなる透湿性の靴によって達成される。すなわち、本発明の透湿性の靴は：
透湿性又は有孔の裏地が付設された透湿性の甲と、
有孔の弾性材で作製された接地底と、
耐水性、撥水性、及び透湿性及び／又は有孔の材料で作製された下保護層を有し、防水性と透湿性を有する材料で作製された少なくとも１枚の膜を備えた中間底と、
透湿性又は有孔の中敷と、
中敷と膜との間に配置され、透湿性又は有孔の間底層とを具備してなり、
組み立て時及び使用時の両方において膜の支持体を形成するのに適しており、縁部分で封止されたあらかじめ組み立てられた挿入物内に膜が配置されていることを特徴としている。
本発明はまた、透湿性、耐水性、又は防水性を有し、靴の製造時に靴底の組立体に正確かつ容易に組み込むことが可能なあらかじめ組み立てられた挿入物に関するものである。その挿入物は、上面と下面と縁面を有する透湿性の防水膜と、その下面に近接して接触する透湿性又は有孔の保護層と、膜に近接して接触し、膜の少なくとも周辺部で膜に接着された防水性支持格子とを備えた構成である。この接着は、膜の上面の周辺部で、又は縁面の周辺部で、あるいは上面と縁面の両方の周辺部で行われてもよい。
【図面の簡単な説明】
本発明による透湿性の靴のさらなる特徴および有用性は、添付の図面に限定されない例として描かれた、以下の様々な実施態様の詳細な記述から明白になるであろう。
図１は本発明の第１実施例の靴の横断面図であり、
図２から図５は図１の靴に含まれる挿入物の様々な変形例を示す断面図であり、
図６は図１の靴の挿入物と接地底の他の変形例の断面図であり、
図７及び図８は膜を含む接地底の実施例の断面図であり、
図９は本発明による靴の他の変形例の横断面図であり、
図１０は保護膜を有する接地底の変形例の図であり、
図１１は本発明の他の実施態様の靴の横断面図であり、
図１２は図１１の詳細を示す拡大図である。
本発明の実施の方法
図１を特に参照して、本発明による透湿性の靴は、第１の実施態様において参照番号１０で示されている。
本例において、靴１０は、透湿性又は有孔の（例えばCambrelleで作製された）裏地１２が内張りされた透湿性の（例えば防水顔料を使用しない天然皮革で作製された）甲１１を備えている。
裏地１２は、甲１１を介した蒸発の低減を防止するために、スポット接着によって甲に貼られている。
靴底１０はさらに、下方領域に穿孔された弾性材で作製された接地底１３と、参照番号１４で示す中間底を備えている。
本例においては、中間底１４は、接地底３側に、耐水性、撥水性、透湿性又は有孔の材料で作製された保護層１６を有し、ゴアテックスという商標名で知られた商業的に入手可能な透湿性の防水材のテフロン材で作製された膜１５を備えている。代わりに、この透湿性の防水材は、シンパテックスという商標名で知られた商業的に入手可能なポリウレタン又はポリエステルであってもよい。
透湿性の防水材を作製するために使用される膜は、一般に１０から５０ミクロンの範囲の厚みを有している。このような膜は通常、コーティングされた大きなメッシュ、及び軽い“トリコット”として製造業者により販売されている。
防水性フィルムの保護層は、例えば０．８から５ミリメートルの範囲の厚みを有するポリエステルのような即乾性の不織布で形成してもよい。これは、通常の靴では１ミリメートルの厚みで十分である。トレッキングシューズやワーキングシューズのような過酷な環境で用いられる靴では、保護層の厚みは４から５ミリメートル以上の厚みとする。
本例においては、靴１０はさらに、孔を有し、さらに任意に吸収性ラテックスゴムの軟皮（図示せず）で作られた踵の当て布が付設された透湿性の材料（例えば天然皮革）で作製された中敷１７を備えている。この中敷１７は、“ラスティング”と呼ばれる従来のシステムによって、つまり靴底の領域の、靴型に対して広げられた甲の“帽子状”の適合部を介して甲１１に取り付けられている。その後、伸長及び拡張により、甲の周囲部分が、中敷の周囲全体に沿って中敷に接着される。
本発明の第１実施態様において、中間底１４は、周囲を封止する接着又はオーバーモールドによって接地底１３が接合された、プレモールドされるか又は多くの場合あらかじめ組み立てられた挿入物である。
本例においては、この挿入物／中間底１４は、膜１５と保護層１６のみならず、膜１５の上面と縁部に影響を及ぼし、その上部領域においてスルーホール１９ａを有し、かつ間底層として作用する支持／封止部材１９を備えている。
膜１５と保護層１９は、弾性材（例えばポリウレタン）で作られるとともに、組み立て中及び使用中に膜用の支持体を形成するのに適した部材１９にその縁部で封止される。その取り付けは、接着剤なしでオーバーモールドで行ってもよい。ａ）部材１９をプレモールドしたり、あらかじめ形作り、その後膜１５に防水性の接着をしたり、ｂ）液状接着剤（例えば単一成分の耐加水分解性のポリウレタン）や、固形、熱もしくは電気溶融接着剤（フィルム）でのスーパー注入、高周波又は超音波溶接でも同様の結果を得ることができる。
本実施例においては、その発散機能を確実にするために、透湿性又は孔を有し、かつスポット接着によって甲１１に付設された傾斜部（図示しない）を靴１０に適用することが可能である。
同様に、透湿性又は有孔の裏月形（図示しない）をスポット接着によって甲１１に付着してもよい。
本例において、甲１１は、中敷の周囲に沿って接着剤の接合層を形成することによって、中敷１７に付着されている。
その接合層を周囲の部分に限定することにより、中敷の表面により多くの透湿性の能力を保持させることができる。
したがって、靴１０においては、中敷の中央部は、事実上、水蒸気に対して透湿性のない（すなわち非透湿性の）部材が存在しない状態となる。
膜１５と下保護層１６は、商業的に入手可能で、かつ耐加水分解性（“ホットメルト”又はつや出しパウダーを有するシステムとして知られた種類）の接着剤を用いたスポット接着によって互いに接続されている。
保護層１６は、即乾性を有する撥水材で作製することもできる。この様な材料は、例えば好ましくはポリエステルからなる不織布、有孔織布又はケプラーを含む。
保護層１６は、接地底１３に形成された孔による外部衝撃又は外部物体に対して膜１５を保護する必要があるため、接地底１３の側に設けられている。
さらに、膜１５は、製造中にオーバーモールドされる部材１９に接続することによって周囲が実質的に封止される。代わりに、この封止は、耐加水分解性の接着剤で部材１９に対し、膜１９の上面の周囲及び／又は縁の周囲を接合することによって行ってもよい。
このため、膜１５と部材１９との間の結合は、接着剤を用いないか、又は周囲の部分だけに接着剤を用いることで生じる。
これは、水蒸気が発散できるように、膜の表面がカバー又はコーティングされていない部分を十分に確保する。
さらに、全体の挿入物／中間底１４は、様々な靴底と様々なサイズを使用することができるように、モジューラ化されたものを用いてもよい。所望により、挿入物は“左”と“右”の靴の形に適応する形状であってもよい。
さらに、挿入物／中間底１４は、靴底に容易に挿入でき、膜１５の位置決めが正確にできるようにする。
同様に、接地底１３は、挿入物を収容するような形状であってもよい。位置決めの正確さは、実際、収容される接地底の残りの構成部材に実質的に補足されるように周囲が形成される挿入物／中間底１４の形状によって補助される。
膜１５の組み立ては、その上に重ねられた部材を持つことなく、できるだけ広い透湿面を残し、結果として膜１５の吸収性能を増加させる。
図２を特に参照して、構造的に異なる靴１０の実施形態において、参照番号１１４で示された挿入物は、保護層１６を有する膜１１５上の支持格子１２１を備えており、参照番号１１９で示されたオーバーモールド又は重ねられた部材が周囲の領域にのみ設けられている。
支持格子１２１は、靴に対して、特に中敷に大きな機械的強さを与える。所望により、支持格子１２１は、膜上に分けてオーバーモールドされるか、又は別に膜に接着されてもよく、あるいは重ね部材１１４と一体部分であってもよい。
図３を特に参照して、靴１０の他の異なる実施態様において、参照番号２１４で示された挿入物は、膜２１５の上に、モールドか又は次に配置され、透湿性、水分吸収作用、物理的な重量の支持、及び外部雰囲気からの断熱作用に関して高レベルの特徴を有するフェルト２２２（又は他のケースにおいてはもう１つのより高い透湿性間底材料）を備えている。この特徴は、例えばウインターシューズや、発汗によって生じた水蒸気が冷えることによって発生する水滴を防止する必要がある場合に特に有用である。
特に、寒冷地で用いられる靴においては、フェルト２２２又はそれと同様の特徴を有する材料は、フィルムや、高い断熱性と、透湿性又は透湿性を確実にする適切な孔を有する材料層と組み合わされてもよい。
本例においては、オーバーモールド部材２１９は、膜２１５と保護部材２１６との周辺部を塞ぐだけである。
図３ｂｉｓを参照して、参照番号２２２ａで示す間底層（例えばフェルトで作製された）は、両方とも孔又は透湿性を有する撥水性の材料で作製された上スペース層２２２ｂと親水性の材料でつくられた下層２２２ｅの間に挟まれている。
このようにすれば、参照番号２１５ａで示す膜による靴底を通じての靴の透湿性の能力を増大させることができる。
疎水性の材料で作製された上スペース層２２２ｂは、保護層２１６ａに対して反対面にある膜２１５ａに近接した親水性の材料で作製された下層２２２ｃの方向に湿気を押し進めるようになっており、これにより、湿気を迅速に吸収して外部に排出し、通過できずに靴の内部にたまった水蒸気が膜２１５ａを通過する前に水に凝縮することを防止する。
代わりに、疎水性の層と親水性の層との２つの層は、その間に、サンドイッチ状に、足と膜の間に配置される他の部材（中敷、膜の外側に配置された支持材等）を含んでいてもよい。
支持／封止部材１９，１１９，２１９は、膜の外側の周囲、膜の縁面の周囲及び支持層の周縁に隣接してもよいことは、図１，図２，図３、及び図３ｂｉｓに示された内容から明らかである。
図４を特に参照して、他の異なる実施態様においては、挿入物３１４内に、荒い地形や、接地底の孔を通過する異物によるダメージに対して特に繊細でかつ影響されやすい膜３１５を保護するための手段が組み込まれている。本例においては、この手段は、厚み、硬さ、及び物理的な特徴の長所により、破れに対して非常に強い連続気泡プラスチック（例えば、ポリウレタンやポリエチレンあるいはポリエステルのような材料が商業的に入手可能である）で作製された、１又は複数の部材３１６によって構成される。
部材３１６には、異物が膜３１５に接触することを防止するために、様々な向きのスルーホールを設けてもよい。
挿入物３１４は、その周囲の部材３１９によって完成され、これは前に述べたようにオーバーモールドされるか重ねられる。
図５を特に参照して、参照番号４１４で示す挿入物のさらに他の実施態様において、膜４１５を保護する手段は、フェルトで作られるか又はアラミド繊維やそれと同等の繊維のような、穴あきに強い繊維で作製された１又は複数の部材４１６によって構成される。
本例においてもまた、挿入物４１４は、オーバーモールドされるか重ねられた部材４１９によって完成される。
図６は挿入物のさらに他の実施態様を示す。参照番号５１４で示す挿入物は、透湿性及び／又は有孔の構造支持部材５１６を間に挟んだ、防水性と透湿性を有する部材で作製された２枚の内膜５１５ａと外膜５１５ｂを備えたサンドイッチ状の構造を有している。
内膜５１５ａと外膜５１５ｂは、周囲を封止するために、互いに耐水性の接着剤で接合されている。本実施例においては、特に外膜５１５ｂは、もう一方の内膜５１５ａよりもダメージの作用を受けやすいが、内膜５１５ａは保護されて透湿作用が確実となり、さらに靴を全体的に防水することができる。一方、外膜は、周囲を防水するか、又はその上にオーバーモールドされるか重ねられた、参照番号５１３で示す接地底の任意の形状により、所定の範囲内で保護される。
特に、接地底の任意の保護形状は、参照番号６１３ａ及び６１３ｂでそれぞれ示す、２つの接地底を描いた図７及び８に見ることができる。それにおいては、参照番号６２０ａ及び６２０ｂでそれぞれ示す孔が、例えば、接地底のパターンの厚みを増大させ、かつ孔の位置の材料の厚みが最小とならないように、地面と接触する領域から距離を置いて設けられている。
参照番号６１５ａ及び６１５ｂは、それぞれ膜を示す。
本例においても、プレモールドされた挿入物は、接地底の部分を構成することに留意すべきである。
図９を特に参照して、靴の構造的な変化は靴１０と同様であり、全体を参照番号７００で示している。
本実施態様においては、靴７００は、膜７１５を保護するための、合成の接地底７１３によって構成された手段を備えている。
特に、接地底７１３は、地面に接する防水層７１３ａと、多数の微小孔を有した完全に透湿性の材料で作製された内部層７１３ｂとを備えている。
特に、その内部層７１３ｂは、組み立て体の全体を甲７１１に接合する部材７２０の手段によって、少なくとも縁部分が接合される（封止が行われる場合）膜７１５と接するか、又は対面する。
その防水層７１３ｂは、完全に透湿性であり、このため外周縁の部分を介して水蒸気の発散と熱交換を行うことができる（他の部分は防水層７１３ａによって封止されている）。
靴は、膜７１５の上に、透湿性又は有孔の間底層７１９と、透湿性又は有孔の中敷７１７を有している。
図１０を特に参照して、接地底の他の実施態様を参照番号８１３により示す。
接地底８１３は、接地底１３と実質的に同様な構造を有しているが、透湿性及び防水性の材料で作製され、下保護層８１６が付加された膜８１５を備えているという点で異なっている。
膜８１５と保護層８１６は、多くの場合は孔を有する接地底８１３に直接、周囲が保持されて封止されている。
本例においては、このため、膜８１５は接地底８１３に直接的に封止される。
残りの部分の接合は、例えば靴７００の場合と同様に行われる。
図１１及び１２を特に参照して、この発明によるさらに他の実施態様の靴を参照番号９００で示す。
靴９００は、特に、足に影響を及ぼす継続的又は瞬間的な強いストレスが与えられる危険性のある作業において安全に使用するのに好適である。
特に、靴９００は、靴１０と実質的に同様の構造を有しているが、参照番号９０１で示された中間底内に挿入され、構造的強度を増すために外形が波形に形成され、さらに穴９０３を有する金属部材９０２を備えているという点において異なっている。金属部材９０２の穴９０３の軸は、地面に対して実質的に平行で、これにより靴９００の透湿性を全体に連続させることができる。
金属部材の代わりに、炭素繊維、強化繊維プラスチック等の同じ強度の性質を有する他の材料を用いてもよい。
特に、本例においては、金属部材９０２は、透湿機能と防水機能を同時に有する膜９１５の下側に直接配置されている。
膜９１５は、波形部材９０２、下フィルター部材９１７、及び側面がオーバーモールドされて封止され、孔を有する接地底９１３の中央部９１９ａと共に、プレモールドされるか又は重ねられた挿入物９１４の部分となる。
膜９１５の上には、上間底層９１８が設けられている。
この組み立て体は、オーバーモールドされるか重ねられた接地底９１３の残りの（側面）部分９１９ｂの手段によって、靴９００の下部に接合されている。
本例の靴における透湿は、例えば両方向の矢印９２０で示す通過路に沿って行われる。
実施において、この発明が、その様々な実施態様と変形例で意図されたねらいと目的を達成することが理解されるであろう。
特に、本発明による靴と挿入物は、製造中における膜の位置決めにおける、あらゆる困難を実質的かつ安全に解決するということがわかるであろう。
さらに、本発明による靴と挿入物は、また、膜を十分に保護することができ、従ってこの様に作製された靴は、例えばスポーツの分野又は安全靴の分野において、特別に要求される適用において使用することができる。
また、この膜の保護は、あらゆる部分において妥協することなく、靴全体の透湿性と防水性の特徴を達成することに留意すべきである。
本発明により、靴の使用における柔軟性と、コストの面で、従来の靴に対して高い競争力を持つ靴を提供することが可能であることに注目すべきである。
また、この発明による靴が、その形状及び構造により、高品質の態様のために好適であることに留意すべきである。
本発明は、その全てが本発明の意図の範囲内であれば、変更及び変形は様々なものであってもよく、材料は要求によりあらゆるものを用いることができる。
当然、本発明の多数の変更及び変形が、上記技術の範囲内において可能である。このため、添付の請求の範囲において、本発明がここに特定して述べられた以外の方法で実行されてもよいことが理解されるであろう。
本明細書は、その全体の明細書が参照番号の記載によってこの明細書に組み込まれた、１９９７年５月９日出願のイタリア特許明細書Ｎｏ．ＰＤ９７Ａ０００１０２の優先権を主張するものである。
【図１】
0004225581.tif 000002
【図２】
0004225581.tif 000003
【図３】
0004225581.tif 000004
0004225581.tif 000005
【図４】
0004225581.tif 000006
【図５】
0004225581.tif 000007
【図６】
0004225581.tif 000008
【図７】
0004225581.tif 000009
【図８】
0004225581.tif 000010
【図９】
0004225581.tif 000011
【図１０】
0004225581.tif 000012
【図１１】
0004225581.tif 000013
【図１２】
0004225581.tif 000014